【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録方法であって、
該パラメータの目標値を、予め記憶しておくか、又は試し書きによりランニングＯＰＣの動作に先立って求めておき、
該実測値と該目標値との差に応じて前記サーボ制御のゲインを変更することを特徴とする光ディスク記録方法。
【請求項２】
光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録方法であって、
該パラメータの目標値、及び該パラメータと記録レーザパワーとの関係を、予め記憶しておくか、又は試し書きによりランニングＯＰＣの動作に先立って求めておき、
前記関係と該パラメータの実測値から、該パラメータの目標値での記録レーザパワーを推測し、
該推定記録レーザパワーと、設定している記録レーザパワーと、の差を求め、
両記録レーザパワーの差に応じて前記サーボ制御のゲインを変更することを特徴とする光ディスク記録方法。
【請求項３】
光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録方法であって、
該パラメータの目標値、
該パラメータと再生信号品位との関係、又は該パラメータと記録レーザパワーとの関係及び記録レーザパワーと再生信号品位との関係、
再生信号品位の目標値、
を予め記憶しておくか、又は試し書きによりランニングＯＰＣの動作に先立って求めておき、
前記関係と該パラメータの実測値から、該パラメータの実測値での再生信号品位を推測し、
該推定再生信号品位と、再生信号品位の目標値と、の差を求め、
両再生信号品位の差に応じて前記サーボ制御のゲインを変更することを特徴とする光ディスク記録方法。
【請求項４】
前記再生信号品位として、β値、ＨＦ変調度、ＨＦ振幅値、ジッタ値、Ｃ１エラー値のいずれかを用いることを特徴とする請求項３に記載の光ディスク記録方法。
【請求項５】
前記サーボ制御のゲインは、実測値と目標値との差、推定値と設定値との差、又は推定値と目標値との差、の絶対値が大きくなるのに応じて、連続的に又は階段状に大きくなるように設定したことを特徴とする請求項１乃至４のいずれかに記載の光ディスク記録方法。
【請求項６】
光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録装置であって、
光ディスクへデータを記録する際にレーザ光を照射するレーザ光照射手段と、該レーザ光照射手段のレーザパワーを制御するレーザパワー制御手段と、
ランニングＯＰＣを行って所定のパラメータの実測値を取得する取得手段と、
該パラメータの目標値を記憶する記憶手段と、
該実測値と該目標値との差を演算する演算手段と、
該演算手段の演算結果に応じて前記サーボ制御のゲインを変更するサーボゲイン制御手段と、を備えたことを特徴とする光ディスク記録装置。
【請求項７】
光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録装置であって、
光ディスクへデータを記録する際にレーザ光を照射するレーザ光照射手段と、
該レーザ光照射手段のレーザパワーを制御するレーザパワー制御手段と、
ランニングＯＰＣを行って所定のパラメータの実測値を取得する取得手段と、
該パラメータの目標値、及び該パラメータと記録レーザパワーとの関係を記憶する記憶手段と、
前記関係と該パラメータの実測値から該パラメータの目標値での記録レーザパワーを推測する推定手段と、
該推定記録レーザパワーと設定している記録レーザパワーとの差を求める演算手段と、
該演算手段の演算結果に応じて前記サーボ制御のゲインを変更するサーボゲイン制御手段と、を備えたことを特徴とする光ディスク記録装置。
【請求項８】
光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録装置であって、
光ディスクへデータを記録する際にレーザ光を照射するレーザ光照射手段と、
該レーザ光照射手段のレーザパワーを制御するレーザパワー制御手段と、
ランニングＯＰＣを行って所定のパラメータの実測値を取得する取得手段と、
該パラメータの目標値、該パラメータと再生信号品位との関係、又は該パラメータと記録レーザパワーとの関係及び記録レーザパワーと再生信号品位との関係、再生信号品位の目標値を記憶する記憶手段と、
前記関係と該パラメータの実測値から該パラメータの実測値での再生信号品位を推測する推定手段と、
該推定記録再生信号品位と再生信号品位の目標値との差を求める演算手段と、
該演算手段の演算結果に応じて前記サーボ制御のゲインを変更するサーボゲイン制御手段と、を備えたことを特徴とする光ディスク記録装置。
【請求項９】
前記記憶手段は、前記再生信号品位として、β値、ＨＦ変調度、ＨＦ振幅値、ジッタ値、Ｃ１エラー値のいずれかを記憶することを特徴とする請求項８に記載の光ディスク記録装置。
【請求項１０】
前記サーボゲイン制御手段は、実測値と目標値との差、推定値と設定値との差、又は推定値と目標値との差、の絶対値が大きくなるのに応じて、連続的に又は階段状に大きくなるように、前記サーボ制御のゲインを設定することを特徴とする請求項６乃至９のいずれかに記載の光ディスク記録装置。
【手続補正２】
【補正対象書類名】明細書
【補正対象項目名】００１３
【補正方法】変更
【補正の内容】
【００１３】
（１）光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録方法であって、
該パラメータの目標値を、予め記憶しておくか、又は試し書きによりランニングＯＰＣの動作に先立って求めておき、
該実測値と該目標値との差に応じて前記サーボ制御のゲインを変更すること、を特徴とする。
【手続補正３】
【補正対象書類名】明細書
【補正対象項目名】００１４
【補正方法】変更
【補正の内容】
【００１４】
この構成において、データを光ディスクに記録する際に行うランニングＯＰＣにより取得する所定のパラメータの実測値と、所定のパラメータの目標値と、の差に応じて、ランニングＯＰＣの前記サーボ制御のゲインを変更して、記録レーザパワーを調整する。
【手続補正４】
【補正対象書類名】明細書
【補正対象項目名】００１５
【補正方法】変更
【補正の内容】
【００１５】
したがって、実測値と目標値との差が大きい時は、サーボ制御のゲインを大きくして記録レーザパワーを制御し、実測値と目標値との差が小さい時は、サーボ制御のゲインを小さくして記録レーザパワーを制御することで、実測値が発振したり、追従が遅くなったりすることなく、所定のパラメータ値を目標値へ速やかに収束させることが可能となる。つまり、光ディスクの面振れ角、反り角、感度ムラなどの状態に応じて、実測値と目標値との差がどれだけ離れているかに関わらず、記録レーザパワーを短時間で補正して、データの再生信号品位を向上させることが可能となる。
【手続補正５】
【補正対象書類名】明細書
【補正対象項目名】００１６
【補正方法】変更
【補正の内容】
【００１６】
（２）光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録方法であって、
該パラメータの目標値、及び該パラメータと記録レーザパワーとの関係を、予め記憶しておくか、又は試し書きによりランニングＯＰＣの動作に先立って求めておき、
前記関係と該パラメータの実測値から、該パラメータの目標値での記録レーザパワーを推測し、
該推定記録レーザパワーと、設定している記録レーザパワーと、の差を求め、
両記録レーザパワーの差に応じて前記サーボ制御のゲインを変更することを特徴とする。
【手続補正６】
【補正対象書類名】明細書
【補正対象項目名】００１７
【補正方法】変更
【補正の内容】
【００１７】
したがって、記録レーザパワーの設定値と所定のパラメータが目標値となる記録レーザパワーとの差が大きい時は、サーボ制御のゲインを大きくして記録レーザパワーを制御し、差が小さい時は、サーボ制御のゲインを小さくして記録レーザパワーを制御することで、所定のパラメータの実測値が発振したり、追従が遅くなったりすることなく、所定のパラメータを目標値へ速やかに収束させることが可能となる。つまり、光ディスクの面振れ角、反り角、感度ムラなどの状態に応じて、所定のパラメータの実測値と目標値との差がどれだけ離れているかに関わらず、記録レーザパワーを短時間で補正して、データの再生信号品位を向上させることが可能となる。
【手続補正７】
【補正対象書類名】明細書
【補正対象項目名】００１８
【補正方法】変更
【補正の内容】
【００１８】
（３）光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録方法であって、
該パラメータの目標値、
該パラメータと再生信号品位との関係、又は該パラメータと記録レーザパワーとの関係及び記録レーザパワーと再生信号品位との関係、
再生信号品位の目標値、
を予め記憶しておくか、又は試し書きによりランニングＯＰＣの動作に先立って求めておき、
前記関係と該パラメータの実測値から、該パラメータの実測値での再生信号品位を推測し、
該推定再生信号品位と、再生信号品位の目標値と、の差を求め、
両再生信号品位の差に応じて前記サーボ制御のゲインを変更することを特徴とする。
【手続補正８】
【補正対象書類名】明細書
【補正対象項目名】００１９
【補正方法】変更
【補正の内容】
【００１９】
したがって、所定のパラメータの実測値における再生信号品位と再生信号品位の目標値との差が大きい時は、サーボ制御のゲインを大きくなるように記録レーザパワーを制御し、差が小さい時は、サーボ制御のゲインを小さくなるように記録レーザパワーを制御することで、所定のパラメータの実測値が発振したり、追従が遅くなったりすることなく、所定のパラメータを目標値へ速やかに収束させることが可能となる。つまり、光ディスクの面振れ角、反り角、感度ムラなどの状態に応じて、所定のパラメータの実測値と目標値との差がどれだけ離れているかに関わらず、記録レーザパワーを短時間で補正して、データの再生信号品位を向上させることが可能となる。
【手続補正９】
【補正対象書類名】明細書
【補正対象項目名】００２１
【補正方法】変更
【補正の内容】
【００２１】
したがって、所定のパラメータの実測値における推定β値と目標β値との差が大きい時は、サーボ制御のゲインを大きくなるように記録レーザパワーを制御し、差が小さい時は、サーボ制御のゲインを小さくなるように記録レーザパワーを制御することで、所定のパラメータの実測値が発振したり、追従が遅くなったりすることなく、所定のパラメータを目標値へ速やかに収束させることが可能となる。つまり、光ディスクの面振れ角、反り角、感度ムラなどの状態に応じて、所定のパラメータの実測値と目標値との差がどれだけ離れているかに関わらず、記録レーザパワーを短時間で補正して、データの再生信号品位を向上させることが可能となる。また、ＨＦ変調度、ＨＦ振幅、ジッタ値、Ｃ１エラー値の場合も、β値の場合と同様である。
【手続補正１０】
【補正対象書類名】明細書
【補正対象項目名】００２２
【補正方法】変更
【補正の内容】
【００２２】
（５）前記サーボ制御のゲインは、実測値と目標値との差、推定値と設定値との差、又は推定値と目標値との差、の絶対値が大きくなるのに応じて、連続的に又は階段状に大きくなるように設定したことを特徴とする。
【手続補正１１】
【補正対象書類名】明細書
【補正対象項目名】００２３
【補正方法】変更
【補正の内容】
【００２３】
この構成において、光ディスクへデータを記録する際の記録レーザパワーを調整するために、ランニングＯＰＣを行って取得する所定のパラメータの実測値が、該パラメータの目標値になるようにサーボ制御を行うとともに、ランニングＯＰＣのサーボ制御のゲインは、この実測値及び目標値の差、推定記録レーザパワーと設定している記録レーザパワーとの差、又は推定再生信号品位と再生信号品位の目標値との差、の絶対値が大きくなるのに応じて、連続的に又は階段状に大きくなるように設定されている。このように設定することで、実測値及び目標値の差、推定値と設定値との差、又は推定値と目標値との差、に対するサーボ制御のゲインの設定値の記憶データ量を抑制することが可能となる。
【手続補正１２】
【補正対象書類名】明細書
【補正対象項目名】００２４
【補正方法】変更
【補正の内容】
【００２４】
（６）光ディスクへデータを記録する際に照射するレーザ光の記録レーザパワーを調整するために、ランニングＯＰＣを行って取得する所定のパラメータの実測値が、所定のパラメータの目標値になるように、サーボ制御する光ディスク記録装置であって、
光ディスクへデータを記録する際にレーザ光を照射するレーザ光照射手段と、  該レーザ光照射手段のレーザパワーを制御するレーザパワー制御手段と、
ランニングＯＰＣを行って所定のパラメータの実測値を取得する取得手段と、
該パラメータの目標値を記憶する記憶手段と、
該実測値と該目標値との差を演算する演算手段と、
該演算手段の演算結果に応じて前記サーボ制御のゲインを変更するサーボゲイン制御手段と、を備えたこと、を特徴とする。
【手続補正１３】
【補正対象書類名】明細書
【補正対象項目名】００２５
【補正方法】変更
【補正の内容】
【００２５】
この構成において、データを光ディスクに記録する際に、取得手段でランニングＯＰＣにより取得した所定のパラメータの実測値と、記憶手段に記憶させた所定のパラメータの目標値と、の差を演算手段で演算し、この差に応じて、ランニングＯＰＣのサーボ制御のゲインを制御する。したがって、（１）と同様の効果が得られる。
【手続補正１４】
【補正対象書類名】明細書
【補正対象項目名】００２６
【補正方法】変更
【補正の内容】
【００２６】
（７）光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録装置であって、
光ディスクへデータを記録する際にレーザ光を照射するレーザ光照射手段と、  該レーザ光照射手段のレーザパワーを制御するレーザパワー制御手段と、
ランニングＯＰＣを行って所定のパラメータの実測値を取得する取得手段と、
該パラメータの目標値、及び該パラメータと記録レーザパワーとの関係を記憶する記憶手段と、
前記関係と該パラメータの実測値から該パラメータの目標値での記録レーザパワーを推測する推定手段と、
該推定記録レーザパワーと設定している記録レーザパワーとの差を求める演算手段と、
該演算手段の演算結果に応じて前記サーボ制御のゲインを変更するサーボゲイン制御手段と、を備えたこと、を特徴とする。
【手続補正１５】
【補正対象書類名】明細書
【補正対象項目名】００２７
【補正方法】変更
【補正の内容】
【００２７】
この構成において、データを光ディスクに記録する際に、取得手段でランニングＯＰＣにより取得した所定のパラメータの実測値と、記憶手段に記憶させた所定のパラメータと記録レーザパワーの関係から、推定手段で所定のパラメータが目標値となる記録レーザパワーを推測する。推定記録レーザパワーと、レーザパワー制御手段に設定している記録レーザパワーと、の差を演算手段で演算し、この差に応じて、ランニングＯＰＣのサーボ制御のゲインを制御する。したがって、（２）と同様の効果が得られる。
【手続補正１６】
【補正対象書類名】明細書
【補正対象項目名】００２８
【補正方法】変更
【補正の内容】
【００２８】
（８）光ディスクへデータを記録する際に照射するレーザ光の記録レーザパワーを調整するために、ランニングＯＰＣを行って取得する所定のパラメータの実測値が、該パラメータの目標値になるように、サーボ制御する光ディスク記録装置であって、
光ディスクへデータを記録する際にレーザ光を照射するレーザ光照射手段と、
該レーザ光照射手段のレーザパワーを制御するレーザパワー制御手段と、
ランニングＯＰＣを行って所定のパラメータの実測値を取得する取得手段と、
該パラメータの目標値、該パラメータと再生信号品位との関係、又は該パラメータと記録レーザパワーとの関係及び記録レーザパワーと再生信号品位との関係、再生信号品位の目標値を記憶する記憶手段と、
前記関係と該パラメータの実測値から該パラメータの実測値での再生信号品位を推測する推定手段と、
該推定記録再生信号品位と再生信号品位の目標値との差を求める演算手段と、
該演算手段の演算結果に応じて前記サーボ制御のゲインを変更するサーボゲイン制御手段と、を備えたことを特徴とする。
【手続補正１７】
【補正対象書類名】明細書
【補正対象項目名】００２９
【補正方法】変更
【補正の内容】
【００２９】
この構成において、データを光ディスクに記録する際に、取得手段でランニングＯＰＣにより取得した所定のパラメータの実測値と、記憶手段に記憶させた所定のパラメータと再生信号品位との関係、又は所定のパラメータと記録レーザパワーとの関係及び記録レーザパワーと再生信号品位との関係から、推定手段で再生意信号品位を推測する。推定再生信号品位と、再生信号品位の目標値と、の差を演算手段で演算し、この差に応じて、ランニングＯＰＣのサーボ制御のゲインを制御する。したがって、（２）と同様の効果が得られる。
【手続補正１８】
【補正対象書類名】明細書
【補正対象項目名】００３１
【補正方法】変更
【補正の内容】
【００３１】
この構成において、再生信号品位として、β値、ＨＦ変調度、ＨＦ振幅値、ジッタ値、Ｃ１エラー値のいずれかを用い、推定手段で再生意信号品位を推測する。推定再生信号品位と、再生信号品位の目標値と、の差を演算手段で演算し、この差に応じて、ランニングＯＰＣのサーボ制御のゲインを制御する。したがって、（４）と同様の効果が得られる。
【手続補正１９】
【補正対象書類名】明細書
【補正対象項目名】００３２
【補正方法】変更
【補正の内容】
【００３２】
（１０）前記サーボゲイン制御手段は、実測値と目標値との差、或いは推定値と設定値との差、又は推定値と目標値との差、の絶対値が大きくなるのに応じて、連続的に又は階段状に大きくなるように、前記サーボ制御のゲインを設定することを特徴とする。
【手続補正２０】
【補正対象書類名】明細書
【補正対象項目名】００３３
【補正方法】変更
【補正の内容】
【００３３】
この構成において、光ディスクへデータを記録する際の記録レーザパワーを調整するために、ランニングＯＰＣを行って取得する所定のパラメータの実測値が、該パラメータの目標値になるようにサーボ制御を行うとともに、ランニングＯＰＣのサーボ制御のゲインは、この実測値及び目標値の差、又は推定記録レーザパワーと設定している記録レーザパワーとの差、若しくは推定再生信号品位と再生信号品位の目標値との差、の絶対値が大きくなるのに応じて、連続的に又は階段状に大きくなるように、ランニングＯＰＣのサーボ制御のゲインを制御する。したがって、（５）と同様の効果が得られる。
【手続補正２１】
【補正対象書類名】明細書
【補正対象項目名】００３７
【補正方法】変更
【補正の内容】
【００３７】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、β検出回路２４、反射光量比検出回路２５、及びデコーダ１５に出力する。
【手続補正２２】
【補正対象書類名】明細書
【補正対象項目名】００３９
【補正方法】変更
【補正の内容】
【００３９】
本実施形態に係る光ディスク記録装置１では、データの記録を行う際に、本記録に先立ち、光ディスクＤの内周側のＰＣＡ領域にテスト記録を行う。そして、このテスト記録した領域の再生結果に基づいて、光ディスクＤに対して良好な再生信号品位を得ることができる記録レーザパワーを求めるように構成されている。Ｃ１エラー検出回路２３ａは、このようなテスト記録した領域での再生信号のＣ１エラーを検出して、システム制御部１６に出力する。
【手続補正２３】
【補正対象書類名】明細書
【補正対象項目名】００９２
【補正方法】変更
【補正の内容】
【００９２】
【発明の効果】
本発明によれば、実測値と目標値との差が大きい時は、サーボ制御のゲインを大きくして記録レーザパワーを制御し、実測値と目標値との差が小さい時は、サーボ制御のゲインを小さくして記録レーザパワーを制御することで、実測値が発振したり、追従が遅くなったりすることなく、所定のパラメータ値を目標値へ速やかに収束させることができる。つまり、光ディスクの面振れ角、反り角、感度ムラなどの状態に応じて、実測値と目標値との差がどれだけ離れているかに関わらず、記録レーザパワーを短時間で補正して、データの再生信号品位を向上させることが可能となる。
【手続補正２４】
【補正対象書類名】明細書
【補正対象項目名】００９３
【補正方法】変更
【補正の内容】
【００９３】
また、記録レーザパワーの設定値と所定のパラメータが目標値となる記録レーザパワーとの差が大きい時は、サーボ制御のゲインを大きくして記録レーザパワーを制御し、差が小さい時は、サーボ制御のゲインを小さくして記録レーザパワーを制御することで、所定のパラメータの実測値が発振したり、追従が遅くなったりすることなく、所定のパラメータを目標値へ速やかに収束させることができる。
【手続補正２５】
【補正対象書類名】明細書
【補正対象項目名】００９４
【補正方法】変更
【補正の内容】
【００９４】
さらに、所定のパラメータの実測値における再生信号品位と再生信号品位の目標値との差が大きい時は、サーボ制御のゲインを大きくなるように記録レーザパワーを制御し、差が小さい時は、サーボ制御のゲインを小さくなるように記録レーザパワーを制御することで、所定のパラメータの実測値が発振したり、追従が遅くなったりすることなく、所定のパラメータを目標値へ速やかに収束させることができる。
【手続補正２６】
【補正対象書類名】明細書
【補正対象項目名】００９５
【補正方法】変更
【補正の内容】
【００９５】
加えて、所定のパラメータの実測値における推定β値と目標β値との差が大きい時は、サーボ制御のゲインを大きくなるように記録レーザパワーを制御し、差が小さい時は、サーボ制御のゲインを小さくなるように記録レーザパワーを制御することで、所定のパラメータの実測値が発振したり、追従が遅くなったりすることなく、所定のパラメータを目標値へ速やかに収束させることができる。
【手続補正２７】
【補正対象書類名】図面
【補正対象項目名】図１
【補正方法】変更
【補正の内容】
【図１】
2003281727.tif 000001